(57)【要約】【課題】換気扇の給気径路を確保するとともに、トーションバネの引っ張り力による化粧パネルの変形を低減する換気扇およびその化粧パネルを提供する。【解決手段】吸込口４を有する本体１と、本体１内に組み込まれた送風機５と、本体１の吸込口４の周りに設けられた取付フランジ部８と、本体１の取付フランジ部８を覆う平板なパネル部２１を有する化粧パネル２と、化粧パネル２の背面に取り付けられ、化粧パネル２を本体１に吊り下げ支持するトーションバネ１０と、化粧パネル２の背面に突設され、本体１の取付フランジ部８に当接して取付フランジ部８と化粧パネル２との間に給気用空隙２６を形成する複数の突起２４とを備える。【選択図】図１
2013178000.tif 000002
【特許請求の範囲】
【請求項１】
吸込口を有する本体と、
前記本体内に組み込まれた送風機と、
前記本体の吸込口の周りに設けられた取付フランジ部と、
前記本体の取付フランジ部を覆う平板なパネル部を有する化粧パネルと、
前記化粧パネルの背面に取り付けられ、該化粧パネルを前記本体に吊り下げ支持するトーションバネと、
前記化粧パネルの背面に突設され、前記本体の取付フランジ部に当接して該取付フランジ部と化粧パネルとの間に給気用空隙を形成する複数の突起と、
を備えたことを特徴とする換気扇。
【請求項２】
前記化粧パネルは、前記突起に連続して直線状に形成された補強用リブを有することを特徴とする請求項１記載の換気扇。
【請求項３】
前記突起は、前記化粧パネルの背面に対する前記トーションバネの投影線上に配置され、または、該投影線と平行な直線上に配置されている
ことを特徴とする請求項１または２記載の換気扇。
【請求項４】
前記補強用リブは、前記化粧パネルの背面に対する前記トーションバネの投影線上に配置され、または、該投影線と平行な直線上に配置されている
ことを特徴とする請求項２記載の換気扇。
【請求項５】
前記補強用リブは、前記突起より高さが低いことを特徴とする請求項２または４記載の換気扇。
【請求項６】
前記化粧パネルは、樹脂製であることを特徴とする請求項１〜４のいずれか一項に記載の換気扇。
【請求項７】
請求項１〜６のいずれか一項に記載の換気扇に使用する化粧パネルであって、
樹脂製からなり、
平板なパネル部の背面の対向する２箇所にトーションバネが取り付けられたトーションリング部の取付部と、
前記取付部に連続して形成され、前記トーションバネの前記パネル部の背面への投影線と一致する直線上に、または、該投影線と平行な直線上に、配置された補強用リブ及び突起と、
を備えたことを特徴とする換気扇の化粧パネル。
【発明の詳細な説明】
【技術分野】
【０００１】
本発明は、換気扇および換気扇の化粧パネルに関するものである。
【背景技術】
【０００２】
換気扇の中には、建物の天井に取り付けられ、ダクトを通じて排気や給気を行うものがある。この種の換気扇には、室内側に実質的な給・排気部分を構成する給排気用の化粧パネルが備えられている。化粧パネルは、トーションリング部の両端から開脚状に係止脚が延び出したトーションバネで換気扇本体に吊り下げ支持されている。なお、この種の従来技術としては、例えば特許文献１、特許文献２に示されたものがある。
特許文献１、特許文献２に示された化粧パネルは、四角形状のパネル部の周辺に立ち上り部を有し、その立ち上がり部がトーションバネでパネル部を引き上げることにより天井面に接して固定され、パネル部正面の格子部分から、給気を行うようになっている。
【先行技術文献】
【特許文献】
【０００３】
【特許文献１】特許第４５５４２４６号公報
【特許文献２】特許第４５５９１４６号公報
【発明の概要】
【発明が解決しようとする課題】
【０００４】
従来の化粧パネルは、換気扇本体に固定するために、トーションバネを換気扇本体のトーションバネ受け部に引っ掛けて固定するが、トーションバネの引っ張り力で化粧パネルが変形し、意匠性が悪化する問題がある。
また、平板なパネル部を有する化粧パネルでは、換気扇の給気径路を確保する必要があるとともに、トーションバネの引っ張り力による化粧パネルの変形を低減する必要がある。
【０００５】
本発明は、上記のような課題を解決するためになされたものであり、換気扇の給気径路を確保するとともに、トーションバネの引っ張り力による化粧パネルの変形を低減する換気扇およびその化粧パネルを提供することを目的とする。
【課題を解決するための手段】
【０００６】
上記課題を解決するために、本発明に係る換気扇は、吸込口を有する本体と、本体内に組み込まれた送風機と、本体の吸込口の周りに設けられた取付フランジ部と、本体の取付フランジ部を覆う平板なパネル部を有する化粧パネルと、化粧パネルの背面に取り付けられ、化粧パネルを本体に吊り下げ支持するトーションバネと、化粧パネルの背面に突設され、本体の取付フランジ部に当接して取付フランジ部と化粧パネルとの間に給気用空隙を形成する複数の突起と、を備えたものである。
【０００７】
また、本発明に係る換気扇の化粧パネルは、上記の換気扇に使用する化粧パネルであって、樹脂製からなり、平板なパネル部の背面の対向する２箇所にトーションバネが取り付けられたトーションリング部の取付部と、この取付部に連続して形成され、トーションバネのパネル部の背面への投影線と一致する直線上に、または、該投影線と平行な直線上に、配置された補強リブ及び突起と、を備えたものである。
【発明の効果】
【０００８】
本発明に係る換気扇は、化粧パネルの背面に突設され、本体の取付フランジ部に当接して取付フランジ部と化粧パネルとの間に給気用空隙を形成する複数の突起を設けたので、給気用空隙により換気扇の給気径路を確保できるとともに、複数の突起によりトーションバネの引っ張り力に対する支持反力を分散できるため、化粧パネルの変形を低減でき、意匠性が悪化することを低減することができる。
【０００９】
また、本発明に係る換気扇の化粧パネルは、上記のように構成されているので、換気扇に使用された際、換気扇の給気径路を確保できるとともに、化粧パネルの変形を低減でき、換気扇に使用された際にも、意匠性が悪化することを低減することができる。
【図面の簡単な説明】
【００１０】
【図１】本発明の実施の形態に係る換気扇の断面図である。
【図２】図１の換気扇を分解して示す斜視図である。
【図３】図１の換気扇に使用する化粧パネルの一例を示す背面側の斜視図である。
【図４】化粧パネルの他の例を示す背面側の斜視図である。
【図５】化粧パネルの更に他の例を示す背面側の斜視図である。
【発明を実施するための形態】
【００１１】
以下、本発明に係る換気扇の実施の形態を図面に基づいて説明する。なお、以下の説明では、建物の天井に設置される換気扇を例にとって説明するが、本発明はこれに限らず、壁に設置される換気扇にも同様に適用することができるものである。
【００１２】
図１は、本発明の実施の形態に係る換気扇１００の断面図であり、図２は、この換気扇１００を分解して示す斜視図である。
この実施の形態に係る換気扇１００は、本体１と、化粧パネル２と、ダクト接続体３とを有する。本体１は、箱型の形態をしており、天井裏の空間に設置される。本体１の前面側（取付時、室内を向いた下面）は開口され、給気用の吸込口４となっている。また、本体１の内部には、例えばシロッコファンからなる送風機５が組み込まれ、さらに送風機５を回転駆動するモーター６が本体１に取り付けられている。本体１の側面には排気用の接続口７を介してダクト接続体３が接続される。ダクト接続体３は図示しない排気ダクトを介して屋外に通じている。
さらに、この本体１は、吸込口４の口縁の周りに外向きに張り出す取付フランジ部８を有しており、この取付フランジ部８を、図１に示すように、例えば天井材２００にネジ止めすることによって取り付け固定される。
【００１３】
換気扇１００の化粧パネル２は、樹脂製のものであり、例えば、四角形状の平板なパネル部２１と、パネル部２１の周りに背面側に向けて縁取りされた立ち上がり部２２とを有する。化粧パネル２の大きさは、本体１の取付フランジ部８を外部から見えないように覆い隠す程度の大きさとする。化粧パネル２の背面側には、対向する２箇所にトーションバネ１０が取り付けられている。
【００１４】
トーションバネ１０は、中心部のトーションリング部１１と、トーションリング部１１から開脚状に延び出した２本の係止脚１２とを有する。
化粧パネル２の背面側には、トーションリング部１１を保持する取付部２３が形成されている。この取付部２３は、例えば特許文献１の図８に示されたような支持ピンを取付部２３の両側の取付片に挿入係止することで、トーションリング部１１の中に支持ピンを通してトーションリング部１１を保持する構造となっている。なお、トーションバネ１０の保持構造はこれに限るものではなく、トーションリング部１１を両端支持のピンで保持できるものであれば、どのような構造でもよい。
【００１５】
化粧パネル２を天井に取り付けられた本体１にトーションバネ１０で吊り下げ支持する際には、図１および図２に示すように、本体１内に設けられたトーションバネ受け部１３の長孔からなる係止部１４にトーションバネ１０の係止脚１２を通して係止させることで、化粧パネル２を本体１に、天井面に対し水平に吊り下げ支持させることができる。このとき、化粧パネル２に対してトーションバネ１０による引っ張り力（引き上げ力）が作用する。
そのため、化粧パネル２を天井面に接触させた場合、上記の引っ張り力（引き上げ力）がトーションバネ１０の取付部２３（トーションリング部１１の保持部）に作用することによって、化粧パネル２を変形させることがある。
【００１６】
この実施の形態に係る化粧パネル２の背面側の構造について、図３〜図５を参照して説明する。
図３は、化粧パネル２の一例を示す背面側の斜視図である。本例では、トーションバネ１０の化粧パネル２背面に対する投影線上に、本体１の取付フランジ部８に当接する突起２４を配置するとともに、突起２４を化粧パネル２と一体に形成したものである。すなわち、対向する一方側の２つの突起２４は、トーションバネ１０のトーションリング部１１中心を通る直線（上記投影線と一致する直線）上に配置されている。
また、突起２４は、化粧パネル２の周辺の立ち上がり部２２よりも高さが高く形成されている。
したがって、化粧パネル２をトーションバネ１０により本体１に吊り下げ支持した場合、突起２４が本体１の取付フランジ部８に当接し、立ち上がり部２２は天井面に接触しないため、図２に示すように、天井面と化粧パネル２との間に空隙２６ができる。この空隙２６から室内空気が本体１内に流入する。
ここで、突起２４というのは、取付フランジ部８に対し点接触するものに限らず、線接触または面接触する突条体も含むものである。
【００１７】
ここで、図３の化粧パネル２を用いた換気扇１００の動作について説明する。なお、後述する図４及び図５の化粧パネル２を用いた換気扇でも同様の作用である。
この化粧パネル２は、背面に突設した複数の突起２４が本体１の取付フランジ部８に当接して天井面と化粧パネル２との間に空隙２６を形成しているので、送風機５を駆動させると、化粧パネル２周辺の空隙２６から室内空気が吸い込まれる。吸い込まれた室内空気は、本体１の吸込口４および送風機５を経て接続口７よりダクト接続体３を介して外部へ排気される。このようにして室内の空気を換気することができる。
【００１８】
図３の化粧パネル２では、片側２つの突起２４を結ぶ直線上にトーションバネ１０が配置されている。このため、トーションバネ１０の化粧パネル２に対する引き上げ力の荷重点は、トーションリング部１１の取付部２３となり、反力点は２つの突起２４の接触部となる。したがって、突起２４の位置や接触長さにもよるが、突起２４それ自体でも化粧パネル２の補強を兼ね備えることができる。このように複数の突起２４を設けることによって、換気扇１００の給気径路を確保できるとともに、化粧パネル２の変形を抑制することが可能となる。したがって、意匠性が悪化することを低減することができる。
また、給気用の空隙２６を形成するためには、突起２４を複数点在状に配置することもできる。複数の突起２４を適宜配置することで、支持反力を減らすことができるので、化粧パネル２の曲げ応力が減少するため、化粧パネル２の変形を抑制することができ、意匠性が悪化することを低減することができる。
【００１９】
図４は、突起２４を突条体、すなわち補強用リブ２５として構成した例を示すものである。この場合、トーションリング部１１の取付部２３の一方の取付片と一体に形成されている。したがって、補強用リブ２５は、上面視で、トーションバネ１０と平行に配置されている。
この構成によれば、突起２４すなわち補強用リブ２５によって、天井面と化粧パネル２との間に給気用の空隙２６を形成することができるとともに、化粧パネル２の変形を抑制することができ、意匠性が悪化することを低減することができる。
【００２０】
図５は、取付部２３に連続し、かつ、突起２４と補強用リブ２５とを連続した突条体として構成した例を示すものである。この場合、補強用リブ２５は突起２４よりも高さが低く形成されている。また、突起２４と補強用リブ２５は、図４の場合と同様に、上面視で、トーションバネ１０と平行に配置されている。
このように構成しても、天井面と化粧パネル２との間に給気用の空隙２６を形成することができるとともに、化粧パネル２の変形を抑制することができ、意匠性が悪化することを低減することができる。
【００２１】
以上に説明した化粧パネル２は、本体１の取付フランジ部８を覆い隠すような大きさ（前面の面積）を有している。したがって、給気用の空隙２６を通して外側から取付フランジ部８を見えにくくしている。
また、給気用の空隙２６は、必要な給気量を確保できれば、必ずしも化粧パネル２の全周にわたって設ける必要はない。例えば、化粧パネル２の立ち上がり部２２の一辺側または対向する二辺側に切欠き状の開口部を設けることにより、上下または左右の立ち上がり部２２にのみ給気用の空隙２６を設けることができる。この場合、上記以外の左右または上下の立ち上がり部２２は、天井面に接触させてよい。
【符号の説明】
【００２２】
１  本体、２  化粧パネル、３  ダクト接続体、４  吸込口、５  送風機、６  モーター、７  接続口、８  取付フランジ部、１０  トーションバネ、１１  トーションリング部、１２  係止脚、１３  トーションバネ受け部、１４  係止部、２１  パネル部、２２  立ち上がり部、２３  取付部、２４  突起、２５  補強用リブ、２６  空隙（給気用空隙）、１００  換気扇、２００  天井材。
【図１】
2013178000.tif 000003
【図２】
2013178000.tif 000004
【図３】
2013178000.tif 000005
【図４】
2013178000.tif 000006
【図５】
2013178000.tif 000007